(57)【要約】【課題】  本発明は、使用状態における使用者の持ちやすさを改善した手持ち型電気掃除機を提供する。【解決手段】  本発明の手持ち型電気掃除機１は、電動送風機６４を収容する本体２を有する。本体２は、使用者が把持する把持部５を有する。本体２は、把持部５と対向する位置に充電可能なバッテリパック８を備える。把持部５は、電動送風機６４側に使用者が把持部５を把持した際に指を掛ける指掛け部５２を有する。バッテリパック８は、把持部５の指掛け部５２より電動送風機６４側の第１位置Ｐ１まで延在する。【選択図】図３
2015097637.tif 000002
【特許請求の範囲】
【請求項１】
電動送風機を収容する本体を有し、
前記本体は、使用者が把持する把持部を有し、
前記本体は、前記把持部と対向する位置に充電可能なバッテリパックを備え、
前記把持部は、前記電動送風機側に使用者が把持部を把持した際に指を掛ける指掛け部を有し、
前記バッテリパックは、前記把持部の前記指掛け部より前記電動送風機側の第１位置まで延在することを特徴とする、手持ち型電気掃除機。
【請求項２】
請求項１において、
前記手持ち型電気掃除機の重心は、前記把持部より前記電動送風機側にあることを特徴とする、手持ち型電気掃除機。
【請求項３】
請求項１または２において、
前記電動送風機は、モータと、該モータによって回転する回転ファンと、を含み、
前記第１位置は、前記モータの下方にあることを特徴とする、手持ち型電気掃除機。
【請求項４】
請求項１〜３のいずれか１項において、
前記第１位置は、前記モータの前記本体の長手方向における中心よりも前記回転ファン側であることを特徴とする、手持ち型電気掃除機。
【請求項５】
請求項１〜４のいずれか１項において、
前記指掛け部は、凹状の溝であることを特徴とする、手持ち型電気掃除機。
【請求項６】
請求項１〜５のいずれか１項において、
前記把持部及び前記バッテリパックは、前記電動送風機の位置における前記本体の外形を超えない範囲に配置することを特徴とする、手持ち型電気掃除機。
【請求項７】
請求項１〜６のいずれか１項において、
前記バッテリパックは、前記本体の長手方向における前記把持部の長さよりも長く、前記把持部の前方にある前記第１位置から前記把持部の後方にある第２位置まで延在することを特徴とする、手持ち型電気掃除機。
【請求項８】
請求項１〜７のいずれか１項において、
前記本体は、その上面に操作部を有し、
前記操作部は、前記指掛け部に対向する位置に電源スイッチを有することを特徴とする、手持ち型電気掃除機。
【発明の詳細な説明】
【技術分野】
【０００１】
本発明は、二次電池を備える手持ち型電気掃除機に関するものである。
【背景技術】
【０００２】
近年、リチウムイオン電池など二次電池の高性能化により、一般家庭用及び業務用の手持ち型電気掃除機は、吸引力が高くなり、しかも連続使用時間も長くなる傾向にある。その結果、手持ち型電気掃除機の需要が増加している。
【０００３】
手持ち型電気掃除機としては、大別すると、吸引する開口部に短いノズルを取り付けたいわゆるハンディタイプの電気掃除機と、開口部に長い吸込管を取り付けてその先端に吸込ヘッドを取り付けたいわゆるスティックタイプの電気掃除機と、が普及している。また、このようなハンディタイプの手持ち型電気掃除機とスティックタイプの手持ち型電気掃除機とを、掃除機の本体を共通とし、ノズルと吸込管とを交換することで使い分けることができるものもある。
【０００４】
二次電池を備える手持ち型電気掃除機は、一般的に吸引する開口部と、電動送風機と、二次電池を収容するバッテリパックと、を略同一直線状に並べて配置し、電動送風機とバッテリパックとの間に把持部を有するものが多い（例えば、特許文献１、２参照）。特許文献１においては、電気掃除機の本体の重心を把手の中央部近傍に位置させることが提案されている。
【０００５】
すなわち、従来の手持ち型電気掃除機にあっては、把持部の前方に重い電動送風機を配置し、把持部の後方に重いバッテリパックを配置して、把持部を中心に前後の重量バランスをとっている。しかしながら、手持ち型電気掃除機の使用状態においては、ノズルや吸込ヘッドを下方に向けて本体を傾けた状態で使用されるため、把持部を中心に回動しやすく、斜めに傾けた一定の状態を維持しにくいという問題があった。
【０００６】
また、このような手持ち型電気掃除機にあっては、バッテリパックが未だに重く、連続使用時間が長くなることと相まって、長時間の使用における使用者による電気掃除機の持ちやすさと操作性の向上とが市場で望まれている。
【先行技術文献】
【特許文献】
【０００７】
【特許文献１】特開２００４−４１７６０号公報
【特許文献２】特開昭６３−２９６７２１号公報
【発明の概要】
【発明が解決しようとする課題】
【０００８】
そこで、本発明の目的は、使用状態における使用者の持ちやすさを改善した手持ち型電気掃除機を提供することにある。
【課題を解決するための手段】
【０００９】
［適用例１］
本適用例に係る手持ち型電気掃除機は、
電動送風機を収容する本体を有し、
前記本体は、使用者が把持する把持部を有し、
前記本体は、前記把持部と対向する位置に充電可能なバッテリパックを備え、
前記把持部は、前記電動送風機側に使用者が把持部を把持した際に指を掛ける指掛け部を有し、
前記バッテリパックは、前記把持部の前記指掛け部より前記電動送風機側の第１位置まで延在することを特徴とする。
【００１０】
本適用例によれば、使用状態における使用者の持ちやすさを改善した手持ち型電気掃除機を提供することができる。すなわち、把持部と対向する位置にあるバッテリパックが指掛け部より前にある第１の位置まで延在していることにより、使用状態において、他の指よりも指掛け部に掛けた指に本体の荷重がかかりやすい。そのため、使用者は、使用状態において、手持ち型電気掃除機を安定して把持することができる。
【００１１】
［適用例２］
前記手持ち型電気掃除機において、
前記手持ち型電気掃除機の重心は、前記把持部より前記電動送風機側にあることができる。
【００１２】
本適用例によれば、重心が把持部より電動送風機側にあるため、使用状態の中でも最も一般的な使用状態である開口部側を下に向けて傾けた状態になりやすく、指掛け部に掛けた指に本体の荷重がかかりやすく、使用者の持ちやすさをさらに改善することができる。
【００１３】
［適用例３］
前記手持ち型電気掃除機において、
前記電動送風機は、モータと、該モータによって回転する回転ファンと、を含み、
前記第１位置は、前記モータの下方にあることができる。
【００１４】
本適用例によれば、モータの下方までバッテリパックを延在させることで、モータの下方にあるスペースを有効に利用することができ、コンパクトな手持ち型電気掃除機を提供することができる。
【００１５】
［適用例４］
前記手持ち型電気掃除機において、
前記第１位置は、前記モータの前記本体の長手方向における中心よりも前記回転ファン側であることができる。
【００１６】
本適用例によれば、モータに隣接したスペースを有効利用してバッテリパックを配置することができ、コンパクトな手持ち型電気掃除機を提供することができる。
【００１７】
［適用例５］
前記手持ち型電気掃除機において、
前記指掛け部は、凹状の溝であることができる。
【００１８】
本適用例によれば、指掛け部を凹状の溝とすることで、複雑な形状とすることなく使用者に持ちやすい把持部とすることができる。
【００１９】
［適用例６］
前記手持ち型電気掃除機において、
前記把持部及び前記バッテリパックは、前記電動送風機の位置における前記本体の外形を超えない範囲に配置することができる。
【００２０】
本適用例によれば、電動送風機の位置における本体の外形を超えない範囲に把持部及び
バッテリパックを配置することで、すっきりとした外観の手持ち型電気掃除機とすることができる。
【００２１】
［適用例７］
前記手持ち型電気掃除機において、
前記バッテリパックは、前記本体の長手方向における前記把持部の長さよりも長く、前記把持部の前方にある前記第１位置から前記把持部の後方にある第２位置まで延在することができる。
【００２２】
本適用例によれば、バッテリパックが把持部の前後に渡って延在することで、把持部の全体にバランスよくバッテリパックの重さが配分され、使用者の持ちやすさをさらに改善することができる。
【００２３】
［適用例８］
前記手持ち型電気掃除機において、
前記本体は、その上面に操作部を有し、
前記操作部は、前記指掛け部に対向する位置に電源スイッチを有することができる。
【００２４】
本適用例によれば、指掛け部において使用者の指の位置は安定しているため、その指掛け部に対向する位置に電源スイッチを配置することにより、使用者は本体が前方に傾いた使用状態にあっても電源スイッチの操作を容易にすることができる。
【発明の効果】
【００２５】
本発明の手持ち型電気掃除機によれば、使用状態における使用者の持ちやすさを改善した手持ち型電気掃除機を提供することができる。
【図面の簡単な説明】
【００２６】
【図１】本発明の一実施形態に係る手持ち型電気掃除機の使用状態を説明する図である。
【図２】本発明の他の実施形態に係る手持ち型電気掃除機の使用状態を説明する図である。
【図３】本発明の一実施形態に係る手持ち型電気掃除機の本体の縦断面図である。
【図４】本発明の一実施形態に係る手持ち型電気掃除機の主な部品の配置を説明する図である。
【図５】本発明の一実施形態に係る手持ち型電気掃除機の概略背面図である。
【発明を実施するための形態】
【００２７】
以下、本発明の実施の形態について図面を参照しながら詳細に説明する。
【００２８】
本発明の一実施の形態にかかる手持ち型電気掃除機は、電動送風機を収容する本体を有し、前記本体は、使用者が把持する把持部を有し、前記本体は、前記把持部と対向する位置に充電可能なバッテリパックを備え、前記把持部は、前記電動送風機側に使用者が把持部を把持した際に指を掛ける指掛け部を有し、前記バッテリパックは、前記把持部の前記指掛け部より前記電動送風機側の第１位置まで延在することを特徴とする。
【００２９】
なお、特に断らない限り、本実施の形態における手持ち型電気掃除機１の説明において、「上」は本体２の上面２７（図３を参照）側であり、「下」は本体２の底面２３（図３を参照）側であり、「前」は本体２の開口部２０（図３を参照）側であり、「後」は本体２の開口部２９（図３を参照）側である。
【００３０】
１．ハンディタイプ
図１に示す本発明の一実施形態に係る手持ち型電気掃除機１は、本体２の先端にノズル３を備えるいわゆるハンディタイプの手持ち型電気掃除機である。手持ち型電気掃除機１は、図示しない電動送風機及びバッテリパック８を内部に収容する本体２と、本体２の先端に接続された筒状のノズル３と、ノズル３から吸い込んだ塵埃を捕集する集塵部４と、使用者が本体２を把持する把持部５と、を有する。
【００３１】
把持部５は、本体２の後方に本体２の長手方向Ａに沿って延在する貫通孔５４の上側に形成され、ほぼ同じ太さの握り部５０と、握り部５０の前方に凹状の溝として形成された指掛け部５２と、を有する。
【００３２】
バッテリパック８は、貫通孔５４の下側であって本体２の下方にある底面２３に沿って形成された筒状のバッテリ収容部２２（図３を参照）に本体２の後方の開口部２９から挿入して収容されている。
【００３３】
本体２の把持部５側の側面には、複数の排気孔２６が開口している。排気孔２６は、本体２内の図示しない電動送風機から本体２の外部へと排気を行うためのものである。
【００３４】
２．スティックタイプ
図２に示す本発明の他の実施形態に係る手持ち型電気掃除機１０は、本体２の先端に吸引管３２を備え、吸引管３２の先端に吸込ヘッド３４を備えるいわゆるスティックタイプの手持ち型電気掃除機１０である。本体２の基本構成は、図１の手持ち型電気掃除機１と同様であるので、同じ構成には同じ符号を用いて、重複する説明は省略する。
【００３５】
手持ち型電気掃除機１０は、手持ち型電気掃除機１の本体２の先端に装着されていたノズル３の代わりに吸込ヘッド３４を備える吸引管３２を装着している。
【００３６】
したがって、本体２は、図１のハンディタイプの手持ち型電気掃除機１と図２のスティックタイプの手持ち型電気掃除機１０に適用することができる。
【００３７】
３．本体
図３を用いて、本体２について説明する。
【００３８】
本体２は、その内部に電動送風機６４を収容する。電動送風機６４は、モータ６２と、モータ６２によって回転する回転ファン６５と、を含む。回転ファン６５は、モータ６２の出力軸６２１に接続される。本体２は、開口部２０、フィルタ４０を含む集塵部４、及び電動送風機６４を本体２の長手方向Ａに沿って一直線に配置している。回転ファン６５の回転により、開口部２０から集塵部４へ吸引する空気の流れ、すなわち、本体２の前方から後方へ向かう空気の流れを発生する。また、本体２は、電動送風機６４の後方に長手方向Ａと直交する方向（図３における手前側から奥側へ向かう方向）に貫通する大きな貫通孔５４を有し、貫通孔５４の上側に把持部５と下側にバッテリ収容部２２とを有する。
【００３９】
３−１．把持部
本体２は、使用者が把持する把持部５を有する。
【００４０】
把持部５は、本体２の後方に設けられた貫通孔５４の上側の一部を構成し、本体２の長手方向Ａに沿って延びる略円筒状の形状を有する。把持部５は、長手方向Ａに沿って延びながら本体２の内側に傾斜している。本体２は、底面２３が平らであり側面から見ると長手方向Ａに沿った直線であるので、把持部５の傾斜によって後方へ向かって細くなる。把持部５は、ほぼ同じ太さの握り部５０と、握り部５０の前方すなわち電動送風機６４側に
凹状の溝として形成された指掛け部５２と、を有する。
【００４１】
指掛け部５２は、使用者が把持部５を把持した際に指を掛ける部分として機能する。指掛け部５２は、使用状態で指がかかりやすい形状であればよく、例えばトリガー状に突出していてもよいが、使用者の握る動作を阻害しないことから凹状の溝であることが好ましい。また、指掛け部５２を凹状の溝とすることで、複雑な形状とすることなく使用者に持ちやすい把持部５とすることができる。手持ち型電気掃除機１、１０の使用状態（図１及び図２を参照）において、使用者は、手の指を貫通孔５４へ挿入して握り部５０を握り、指掛け部５２の凹状の溝に人差し指を入れて把持部５を持つことができる。
【００４２】
３−２．バッテリパック
本体２は、貫通孔５４を挟んで把持部５と対向する位置に充電可能なバッテリパック８を備える。バッテリパック８は、本体２の底面２３側に形成されたバッテリ収容部２２内に収納される。バッテリ収容部２２は、貫通孔５４の下側の一部を構成し、本体２の後端に形成された開口部２９からモータ６２の下まで延びる筒状の空間である。バッテリパック８は、本体２を構成する部品の中でも最も重い部品である。したがって、把持部５が形成された上面２７に対向する底面２３側にバッテリパック８を配置することで、使用者が把持部５を把持した際に底面２３が下となる姿勢を容易に維持することができる。
【００４３】
バッテリパック８は、筐体の内部に二次電池を有する。二次電池の種類としては、充電を行うことにより電気を蓄えて繰り返し使用することが出来る電池であればよく、例えば、リチウムイオン二次電池を用いることができる。バッテリパック８は、開口部２９から引き抜くことで本体２から取り外し可能であり、図示しない別部材の充電器で充電することができる。
【００４４】
バッテリパック８は、その外観が上下方向に薄く前後方向に長い平板状であって、後端が本体２の外形の一部を構成することができる。バッテリパック８は、その後端において上方に突出した部分が本体２内の電極に接続して電力を供給する。
【００４５】
本体２は、前方に開口部２０と連通する集塵部４を有し、長手方向Ａの中央部分に電動送風機６４を有し、後方に把持部５及びバッテリ収容部２２を有する。集塵部４は、開口部２０から吸引した塵埃をフィルタ４０によって捕集する部分であり、内部は空洞であるため、比較的軽量である。本体２において、重量バランスを考慮する上で重要なのが比較的重い部品であるバッテリパック８及び電動送風機６４である。
【００４６】
バッテリパック８は、把持部５の指掛け部５２より電動送風機６４側の第１位置Ｐ１まで延在する。このように、把持部５と対向する位置にあるバッテリパック８が指掛け部５２より前にある第１位置Ｐ１まで延在していることにより、他の指よりも指掛け部５２に掛けた指に本体２の荷重がかかりやすい。そのため、使用者は、使用状態において、手持ち型電気掃除機１，１０を安定して把持することができる。したがって、本実施形態によれば、手持ち型電気掃除機１，１０の使用状態における使用者の持ちやすさを改善することができる。
【００４７】
第１位置Ｐ１は、モータ６２の下方にあることができる。すなわち、モータ６２の下方まで重いバッテリパック８を延在させることで、モータ６２の下方にあるスペースを有効に利用することができ、手持ち型電気掃除機１，１０をコンパクトにすることができる。
【００４８】
第１位置Ｐ１は、モータ６２の本体２の長手方向Ａにおける中心Ｐ３よりも回転ファン６５側であることができる。すなわち、モータ６２に隣接した本体２内のスペースを有効利用してバッテリパック８を配置することができ、コンパクトな手持ち型電気掃除機１，
１０を提供することができる。
【００４９】
３−３．操作部
本体２は、その上面２７に操作部６を有する。操作部６は、手持ち型電気掃除機１、１０の電源をＯＮ／ＯＦＦする電源スイッチ６１と、吸込力の強／弱を切り替える切り替えスイッチを含む他の操作スイッチ６７を備える。操作部６は、指掛け部５２に対向する位置に電源スイッチ６１を有することができる。したがって、把持部５の上面２７側に設けられた電源スイッチ６１と把持部５の下側に設けられた指掛け部５２とが上下に対向して配置している。指掛け部５２において使用者の指（例えば人差し指）の位置は安定しているため、その指掛け部５２に対向する位置に電源スイッチ６１を配置することにより、使用者は本体２が前方に傾いた使用状態にあっても電源スイッチ６１の操作を親指で容易にすることができる。
【００５０】
さらに、操作部６の他の操作スイッチ６７は、電源スイッチ６１の前方であって、本体２の上面２７に配置している。使用状態において、使用者が操作部６を目視しやすいと共に、指掛け部５２に人差し指を固定した状態で親指を単に前方に移動させることで他の操作スイッチ６７を容易に操作することができる。
【００５１】
また、操作部６は、他の操作スイッチ６７よりも前方に、１以上の発光部６８を配置することができる。発光部６８は、例えば、電源がＯＮである状態を示すＬＥＤランプであってもよいし、吸込力の強／弱の切替状態を示すＬＥＤランプであってもよいし、開口部２０に設けられたゴミセンサが塵埃を検知していることを示すＬＥＤランプであってもよい。
【００５２】
４．重量バランス
図４には、手持ち型電気掃除機１の本体２の構成部品を簡略化して示している。
【００５３】
本体２の前方の開口部２０にはノズル３があり、本体２の長手方向Ａに沿って、集塵部４、電動送風機６４の回転ファン６５、同じくモータ６２、貫通孔５４が後方に向かって直線的に配置されている。
【００５４】
本体２は、貫通孔５４の上方に把持部５を有し、貫通孔５４の下方にはバッテリパック８が配置している。
【００５５】
貫通孔５４は、長手方向Ａに沿って第４位置Ｐ４から第５位置Ｐ５まで延在する。貫通孔５４は本体２の上面２７と共に把持部５を構成するので、把持部５も貫通孔５４の上方で長手方向Ａに沿って第４位置Ｐ４から第５位置Ｐ５まで延在する。把持部５及び貫通孔５４は、長手方向Ａにおける長さＬ３を有する。
【００５６】
バッテリパック８は、長手方向Ａに沿って把持部５の前方にある第１位置Ｐ１から把持部５の後方の第２位置Ｐ２まで延在する。第２位置Ｐ２は、本体２の後端を兼ねることができる。バッテリパック８は、長手方向Ａにおける把持部５の長さＬ３よりも長い長さＬ４を有する。
【００５７】
より具体的には、バッテリパック８は、把持部５の長さＬ３よりも貫通孔５４の前方にあるモータ６２の下方まで長手方向Ａに沿った長さＬ１だけ前方に長く形成されている。また、バッテリパック８は、貫通孔５４の後方に長手方向Ａに沿った長さＬ２だけ後方に長く形成されている。したがって、バッテリパック８の長手方向Ａにおける長さＬ４は、把持部５の長さＬ３よりも前後に長さＬ１，Ｌ２分長い。
【００５８】
長さＬ１及び長さＬ２は、ほぼ同じ長さであることができ、例えば、バッテリパック８の全長Ｌ４を１００％としたとき、長さＬ１、Ｌ２はその内の２０％〜３０％の範囲で適宜設定することができる。本実施の形態においては、長さＬ１が２５％、長さＬ２が２８％に設定されており、バッテリパック８の後方の方が若干長くなっている。これは、把持部５の前方にある電動送風機６４によって前方に偏っている重量バランスを多少調整するものである。
【００５９】
このように、バッテリパック８が把持部５の前後に渡って延在することで、把持部５の全体にバランスよくバッテリパック８の重さが配分され、使用者の持ちやすさをさらに改善することができる。より具体的には、本体２の中で最も重い部品であるバッテリパック８を把持部５に対向する下方に、しかも把持部５よりも前後に長く配置することによって、使用者が把持したときの安定感が向上する。
【００６０】
手持ち型電気掃除機１の重心Ｇは、把持部５より電動送風機６４側にあることができる。重心Ｇが把持部５より電動送風機６４側にあるため、使用状態の中でも最も一般的な使用状態である開口部２０側を下に向けて傾けた状態になりやすい。したがって、指掛け部５２に掛けた指に本体２の荷重がかかりやすく、使用者の持ちやすさをさらに改善することができる。なお、ノズル３を装着しない状態においても本体２の重心は、把持部５よりも前方の電動送風機６４側にある。
【００６１】
図４における部品の配置をみると、バッテリパック８がいかに本体２内のスペースを有効利用しているかがわかる。通常、モータの下方には比較的広い空間が存在するが、本実施の形態の本体２においては、モータ６２の下方のスペースにバッテリパック８の前方部分が配置され、本体２の小型化を達成している。
【００６２】
手持ち型電気掃除機１の本体２は、開口部２０から長手方向Ａに沿って細長い外観を有している。
【００６３】
図４及び図５に示すように、本体２において、長手方向Ａに直交する方向で最も太い外形寸法Ｄ１、Ｄ２を有する位置は、電動送風機６４の位置であり、特に回転ファン６５の位置である。
【００６４】
把持部５及びバッテリパック８は、電動送風機６４の位置における本体２の外形寸法Ｄ１，Ｄ２を超えない範囲に配置することができる。このようにすることで、電動送風機６４の位置における本体の外形寸法Ｄ１，Ｄ２を超えない範囲に把持部５及びバッテリパック８を配置することで、すっきりとした外観の手持ち型電気掃除機１とすることができる。
【００６５】
図５に示すように、排気孔２６は、電動送風機６４の後方にあり、十分な排気能力を有している。
【００６６】
なお、上記のように本発明の実施の形態について詳細に説明したが、本発明の新規事項及び効果から実体的に逸脱しない多くの変形が可能であることは当業者には容易に理解できよう。
【符号の説明】
【００６７】
１  手持ち型電気掃除機、２  本体、３  ノズル、４  集塵部、５  把持部、６  操作部、８  バッテリパック、１０  手持ち型電気掃除機、２０  開口部、２２  バッテリ収容部、２３  底面、２６  排気孔、２７  上面、２９  開口部、３２  吸引管、３４  吸込ヘッド、４０  フィルタ、５０  握り部、５２  指掛け部、５４  貫通孔、６１  電源
スイッチ、６２  モータ、６４  電動送風機、６５  回転ファン、６７  他の操作スイッチ、６８  発光部、６２１  出力軸、Ａ  長手方向、Ｐ１  第１位置、Ｐ２  第２位置、Ｐ３  中心、Ｐ４  第４位置、Ｐ５  第５位置、Ｄ１  外形寸法、Ｄ２  外形寸法、Ｌ１〜Ｌ３  長さ、Ｌ４  全長
【図１】
2015097637.tif 000003
【図２】
2015097637.tif 000004
【図３】
2015097637.tif 000005
【図４】
2015097637.tif 000006
【図５】
2015097637.tif 000007